(57)【要約】【課題】導電線が作業温度を告知できないという問題を解決する、温度上昇により変色する導電線を提供する。【解決手段】導電線は、金属ワイヤ１及びこの金属ワイヤ１を覆う絶縁層２を含み、絶縁層１の表面が、変色臨界温度を有する感温変色インク３で被覆されてなる。変色臨界温度以下では感温変色インク３が不透明の色を呈する一方、変色臨界温度以上では感温変色インク３が透明の状態になる。【選択図】図１
0003126454.tif 000002
【実用新案登録請求の範囲】
【請求項１】
金属ワイヤと前記金属ワイヤを覆う絶縁層とを含み、前記絶縁層の表面が、変色臨界温度を有する感温変色インクで被覆されてなり、前記変色臨界温度以下では前記感温変色インクが不透明の色を呈する一方、前記変色臨界温度以上では前記感温変色インクが透明の状態になるものであることを特徴とする導電線。
【請求項２】
前記絶縁層の表面が、変色臨界温度がそれぞれ異なる複数の種類の感温変色インクで被覆されたことを特徴とする請求項１に記載の導電線。
【請求項３】
前記絶縁層の表面が複数のエリアに区分けされ、前記絶縁層の区分けされた各エリアが、互いに変色臨界温度がそれぞれ異なる複数の種類の感温変色インクで被覆されたことを特徴とする請求項２に記載の導電線。
【請求項４】
前記絶縁層に、変色臨界温度がそれぞれ異なる複数の種類の感温変色インクが層状に重ねられて被覆されたことを特徴とする請求項２に記載の導電線。
【請求項５】
請求項１に記載の導電線を含むプラグ。
【請求項６】
請求項１に記載の導電線を含む延長コンセント。
【考案の詳細な説明】
【技術分野】
【０００１】
本考案は、電気用品の導電線に関し、詳細には、導電線の絶縁層表面を感温変色インクで被覆し、感温変色インクが作業温度を感知して変色することにより警告作用を発揮するようにした温度上昇により変色する導電線に関する。
【背景技術】
【０００２】
現在一般的な電気用品や延長コンセントの様式はさまざまな種類があり、これら電気用品または延長コンセントは導電線を有しており、導電線を介して電流が電気用品や延長コンセントに伝送される。一般的な電気用品や延長コンセントの導電線の構造は、金属ワイヤ上をポリ塩化ビニルなどの一層の絶縁層で覆ってなるものである。
【考案の開示】
【考案が解決しようとする課題】
【０００３】
従来の導電線は、使用時に次のような状況が発生する。電気用品や延長コンセントの使用中に、導電線のその時の作業温度の数値を示すことができない。また、導電線は、異常な温度上昇が発生したときに、即座に温度異常を示すことができず、使用者に予め防護動作をとらせることができないため、発火しやすい。
【０００４】
本考案はこれに鑑みてなされたもので、その目的は、導電線が作業温度を告知できないという問題を解決することにあり、温度上昇により変色する導電線を提供することにある。
【課題を解決するための手段】
【０００５】
請求項１に係る導電線は、上記課題を解決するために、金属ワイヤと前記金属ワイヤを覆う絶縁層とを含み、前記絶縁層の表面が、変色臨界温度を有する感温変色インクで被覆されてなり、前記変色臨界温度以下では前記感温変色インクが不透明の色を呈する一方、前記変色臨界温度以上では前記感温変色インクが透明の状態になるものであることを特徴とする。
【０００６】
請求項２に係る導電線は、請求項１に係る導電線において、前記絶縁層の表面が、変色臨界温度がそれぞれ異なる複数の種類の感温変色インクで被覆されたことを特徴とするものである。
【０００７】
請求項３に係る導電線は、請求項２に係るものにおいて、前記絶縁層の表面が複数のエリアに区分けされ、前記絶縁層の区分けされた各エリアが、互いに変色臨界温度がそれぞれ異なる複数の種類の感温変色インクで被覆されたことを特徴とするものである。
【０００８】
請求項４に係る導電線は、請求項２に係るものにおいて、前記絶縁層に、変色臨界温度がそれぞれ異なる複数の種類の感温変色インクが層状に重ねられて被覆されたことを特徴とするものである。
【０００９】
請求項５に係る考案は、請求項１に係る導電線を含むプラグである。また、請求項６に係る考案は、請求項１に係る導電線を含む延長コンセントである。
【考案の効果】
【００１０】
請求項１に係る導電線によれば、感温変色インクが受ける作業温度がその変色臨界温度に達したか、またはそれを超過したとき、それまでの色から透明になり、これにより導電線がそのときに受けている作業温度がすでに異常であることを警告できる。また、導電線を折り曲げて収納したり、使用中に過度に折り曲げられたりしたときに内部の銅線に断裂が発生した場合、この断裂箇所に温度上昇現象が見られるため、感温変色インクの変色により、事前に異常を察知し対応することができる。異なる変色臨海温度の複数の感温変色インクを区分または重ねて導電線に被覆することで、区分式の警告効果が得られる。
【考案を実施するための最良の形態】
【００１１】
以下、本考案の実施の形態を図面に基いて詳細に説明する。図１は、感温変色インクを一層被覆した第１実施形態に係る導電線の断面図である。図１に示すように、本考案の導電線は、金属ワイヤ１、絶縁層２、変色臨界温度を有する感温変色インク３を含み、金属ワイヤ１は導電線の電源の伝送を行い、絶縁層２は上述の金属ワイヤ１を覆う。また、絶縁層２の表面が、感温変色インク３で被覆されてなる。なお、上述の被覆手段は、印刷、塗布、スプレー、浸漬を含む。
【００１２】
感温変色インク３は、室温下では有色の形態を呈し、その室温下の色は製造時に添加する顔料により決定することができる。感温変色インク３は室温よりも高い変色臨界温度を有し、感温変色インク３が受ける温度が前述の変色臨界温度に達した、またはそれを超過したとき、感温変色インク３が透明の状態に変化する。
【００１３】
図２は、図１の導電線の電気用品への適用を示す図である。図２に示すように、電気用品Ａの導電線的プラグＢを電源端Ｃに接続し、電源端Ｃが導電線による伝送を介して電器用品Ａ上に電源を供給する。導電線の作業温度に異常が発生して感温変色インク３の変色臨界温度に達するかまたはそれを超過すると、感温変色インク３が元の色から透明に変わり、感温変色インク３に覆われていた絶縁層２の色が現れ、上述の色の変化（感温変色インク３の色から絶縁層２の色に変化）により、使用者は導電線の作業温度がすでに異常であることを知ることができる。
【００１４】
また、図３は、導電線における金属ワイヤ部分の断裂を示す断面図である。図３に示すように、長期間導電線を折り曲げて収納しておいたり、導電線を折り曲げたまま使用すると、内部の金属ワイヤ１が断裂を起こしやすく、その断裂箇所の作業温度が上がりやすくなる。使用中に、感温変色インク３の変色した場合には、金属ワイヤ１の断裂の可能性を知ることができ、前もって対応することができる。
【００１５】
図４は、本考案の第２実施形態に係る導電線の断面図である。第２実施形態の導電線は、図４に示すように、金属ワイヤ１Ａ、絶縁層２Ａ、異なる変色臨海温度の３種類の感温変色インク、即ち、第１感温変色インク３Ａ、第２感温変色インク３Ｂ、第３感温変色インク３Ｃを含む。
【００１６】
金属ワイヤ１Ａは導電線の電源の伝送を行う。絶縁層２Ａは上述の金属ワイヤ１Ａを覆う。絶縁層２Ａの表面が複数のエリアに区分けされ、区分けされた各エリアに、それぞれ異なる色の第１警告エリア２１Ａ、第２警告エリア２１Ｂ、第３警告エリア２１Ｃを塗布して設ける。
【００１７】
第１感温変色インク３Ａは第１変色臨界温度を有し、室温下では不透明有色の形態を呈し、その室温下の色は前述の第１警告エリア２１Ａの色とは異なるものとし、第１感温変色インク３Ａは上述の絶縁層２Ａの第１警告エリア２１Ａの外側を被覆する。
【００１８】
第２感温変色インク３Ｂは、第２変色臨界温度を有し、第２感温変色インク３Ｂは室温下で不透明有色の形態を呈し、その室温下の色は前述の第２警告エリア２１Ｂの色とは異なるものとし、第２感温変色インク３Ｂは上述の絶縁層２Ａの第２警告エリア２１Ｂの外側を被覆する。
【００１９】
第３感温変色インク３Ｃは第３変色臨界温度を有し、第３感温変色インク３Ｃは室温下で不透明有色の形態を呈し、その室温下の色は第３警告エリア２１Ｃの色とは異なるものとし、第３感温変色インク３Ｃは上述の絶縁層２Ａの第３警告エリア２１Ｃの外側を被覆する。
【００２０】
上述の第１感温変色インク３Ａ、第２感温変色インク３Ｂ、第３感温変色インク３Ｃの室温下での色は同じでも異なっていてもよいものとするが、同じ色とすることが望ましい。上述の第１警告エリア２１Ａ、第２警告エリア２１Ｂ、第３警告エリア２１Ｃの色は異なるものとし、例えば、それぞれ薄い黄色、黄色、赤色等とする。また、上述の第３変色臨界温度は第２変色臨界温度より高く、第２変色臨界温度は第１変色臨界温度より高いものとする。
【００２１】
図５に示すように、導電線の作業温度が第１変色臨界温度に達するか、またはこれを超過すると、第１感温変色インク３Ａが元の有色状態から透明になり、絶縁層２Ａ表面の第１警告エリア２１Ａの色（薄い黄色）が現れる。
【００２２】
図６に示すように、導電線の温度が第２変色臨界温度より高くなると、第１感温変色インク３Ａと第２感温変色インク３Ｂが共に元の有色状態から透明になり、絶縁層２Ａ表面の第１警告エリア２１Ａと第２警告エリア２１Ｂの色（薄い黄色と黄色）が現れる。
【００２３】
図７に示すように、導電線の温度が第３変色臨界温度に達するかまたはこれを超過すると、第１感温変色インク３Ａ、第２感温変色インク３Ｂ、第３感温変色インク３ｃがすべて元の有色状態から透明になり、絶縁層２Ａの表面の第１警告エリア２１Ａ、第２警告エリア２１Ｂ、第３警告エリア２１Ｃの色（薄い黄色、黄色、赤色）がすべて現れる。上述のように、段階的に色を表示する方式で、使用者は異常作業温度の高さを判断することができる。
【００２４】
図８は、本考案の第３実施形態に係る導電線の断面図である。金属ワイヤ１Ｂは絶縁層２Ｂにより覆われる。絶縁層２Ｂは、変色臨界温度がそれぞれ異なる複数の種類の感温変色インクが層状に重ねられて被覆される。即ち、絶縁層２Ｂの表面を内側から外側へ向う順序に従い被覆する異なる色の第２感温変色インク３Ｅと第１感温変色インク３Ｄはそれぞれ第２変色臨界温度と第１変色臨界温度を有し、且つ、第２変色臨界温度は第１変色臨界温度より高いものとする。
【００２５】
使用時には、作業温度が第１変色臨界温度より低いとき、導電線の外観は第１感温変色インク３Ｄの室温下の色を呈し、作業温度が第１変色臨界温度に到達またはこれを超過し、但し第２変色臨界温度より低いとき、第１感温変色インク３Ｄが透明になり、導電線の外観は第２感温変色インク３Ｅの室温下の色を呈する。作業温度が第２変色臨界温度に到達またはこれを超過すると、第１感温変色インク３Ｄと第２感温変色インク３Ｅが共に透明になり、導電線の外観は絶縁層２Ｂの色を呈するようになる。
【００２６】
なお、前述の第１乃至第３実施形態の導電線を利用してプラグを連結し、プラグを備えた導電線とすることもでき、これも本考案の範囲に含まれる。また、前述の前述の第１乃至第３実施形態の導電線を含む延長コンセントも本考案の範囲に含まれるものとする。
【図面の簡単な説明】
【００２７】
【図１】感温変色インクを一層被覆した第１実施形態に係る導電線の断面図である。
【図２】図１の導電線の電気用品への適用を示す図である。
【図３】図１の導電線における金属ワイヤ部分の断裂を示す断面図である。
【図４】本考案の第２実施形態（異なる変色臨海温度の感温変色インクをエリア分けして被覆）に係る導電線の断面図である。
【図５】図４の導電線において第１感温変色インクが透明になった状態を示す使用図である。
【図６】図４の導電線において第１感温変色インクと第２感温変色インクとが共に透明になった状態を示す使用図である。
【図７】図４の導電線において第１感温変色インクと第２感温変色インクと第３感温変色インクとがすべて透明になった状態を示す使用図である。
【図８】本考案の第３実施形態（異なる変色臨海温度の感温変色インクを重ねて被覆）に係る導電線の断面図である。
【符号の説明】
【００２８】
１  金属ワイヤ
１Ａ  金属ワイヤ
１Ｂ  金属ワイヤ
２  絶縁層
２Ａ  絶縁層
２Ｂ  絶縁層
３  第１感温変色インク
３Ａ  第１感温変色インク
３Ｂ  第２感温変色インク
３Ｃ  第３感温変色インク
３Ｄ  第１感温変色インク
３Ｅ  第２感温変色インク
２１Ａ  第１警告エリア
２１Ｂ  第２警告エリア
２１Ｃ  第３警告エリア
Ａ  電気用品
Ｂ  プラグ
Ｃ  電源端
【図１】
0003126454.tif 000003
【図２】
0003126454.tif 000004
【図３】
0003126454.tif 000005
【図４】
0003126454.tif 000006
【図５】
0003126454.tif 000007
【図６】
0003126454.tif 000008
【図７】
0003126454.tif 000009
【図８】
0003126454.tif 000010